(57)【特許請求の範囲】
【請求項１】
画像データの送信方法を提供するサーバとそれぞれ、自装置において実行可能な送信方法を示す送信機能情報を記憶している複数の画像送信装置とが、ネットワーク接続されて構成される画像送信システムであって、
前記サーバは、
複数の前記各画像送信装置から前記送信機能情報を取得する送信機能情報取得手段と、
前記各画像送信装置からの取得要求に応じて、複数の前記各画像送信装置の何れかにおいて実行可能な送信方法を、第１送信方法登録情報として、複数の前記各画像送信装置の全てにおいて実行可能な送信方法を、第２送信方法登録情報として、それぞれ、取得した送信機能情報に基づいて抽出し、第１及び第２送信方法登録情報を取得要求元の画像送信装置に送信する送信手段と、
記録媒体と、
前記取得要求元の画像送信装置に送信された第１送信方法登録情報に係る送信方法の中から当該画像送信装置を介して受信者が優先順位の最も高い第１優先順位の送信方法として指定した当該受信者宛の画像データの送信方法と、当該画像送信装置に送信された第２送信方法登録情報に係る送信方法の中から、当該画像送信装置を介して受信者が第２優先順位の送信方法として指定した当該受信者宛の画像データの送信方法と、を示す送信方法指定情報の登録及び更新を、当該画像送信装置から受付ける受付け手段と、
前記登録を受付けると、送信方法指定情報とそれを指定した受信者とを対応付けて前記記録媒体に記録し、前記更新を受付けると、前記記録媒体において、当該受信者に対応付けて記録されている送信方法指定情報を、更新後の送信方法指定情報に書き換える記録制御手段と
を有し、
前記画像送信装置は、
前記サーバから受信した第１送信方法登録情報に係る送信方法の中から第１優先順位の送信方法の指定を、前記サーバから受信した第２送信方法登録情報に係る送信方法の中から第２優先順位の送信方法の指定を、それぞれ受信者から受取ることにより、前記送信方法指定情報の指定を受取る指定受取手段と、
指定された前記送信方法指定情報を前記サーバに送信する指定情報送信手段と、
送信すべき画像データの受信者の識別子の選択を受け付ける受付手段と、
前記サーバから、前記記録媒体に記録されている送信方法指定情報とそれに対応付けられている受信者の識別子とを取得する取得手段と、
選択された受信者の識別子が、取得された送信方法指定情報に対応付けられている受信者の識別子と一致する場合に、前記送信方法指定情報が示す送信方法に従って、画像データを送信させる送信制御手段と、
を有し、
前記送信制御手段は、
前記送信機能情報を記憶している記憶手段と、
選択された受信者の識別子が、前記送信方法指定情報に対応付けられている受信者の識別子と一致する場合に、前記送信機能情報を参照して、前記送信方法指定情報に含まれる前記複数の送信方法の内、自装置において実行可能であって、優先順位が最も高い送信方法を、前記画像データを送信させる送信方法として選択する選択手段と、
を有することを特徴とする画像送信システム。
【請求項２】
画像データの送信方法を提供するサーバとそれぞれ、自装置において実行可能な送信方法を示す送信機能情報を記憶している複数の画像送信装置とが、ネットワーク接続されて構成される画像送信システムであって、
前記サーバは、
複数の前記各画像送信装置から前記送信機能情報を取得する送信機能情報取得手段と、
前記各画像送信装置からの取得要求に応じて、複数の前記各画像送信装置の何れかにおいて実行可能な送信方法を、第１送信方法登録情報として、取得した送信機能情報に基づいて、抽出し、第１送信方法登録情報を取得要求元の画像送信装置に送信する第１送信手段と、
前記各画像送信装置からの取得要求に応じて、前記取得要求元の画像送信装置に送信された第１送信方法登録情報に係る送信方法の中から、当該取得要求元の画像送信装置を介して受信者が優先順位の最も高い第１優先順位の送信方法として指定した当該受信者宛の画像データの送信方法が実行可能でない、複数の前記各画像送信装置の内の画像送信装置において、共通して実行可能な送信方法を、第２送信方法登録情報として、取得した送信機能情報に基づいて、抽出し、第２送信方法登録情報を前記取得要求元の画像送信装置に送信する第２送信手段と、
記録媒体と、
当該取得要求元の画像送信装置において受信者が第１優先順位の送信方法として指定した当該受信者宛の画像データの送信方法と、当該取得要求元の画像送信装置に送信された第２送信方法登録情報に係る送信方法の中から当該取得要求元の画像送信装置を介して受信者が第２優先順位の送信方法として指定した当該受信者宛の画像データの送信方法と、を示す送信方法指定情報の登録及び更新を、当該取得要求元の画像送信装置から受付ける受付け手段と、
前記登録を受付けると、送信方法指定情報とそれを指定した受信者とを対応付けて前記記録媒体に記録し、前記更新を受付けると、前記記録媒体において、当該受信者に対応付けて記録されている送信方法指定情報を、更新後の送信方法指定情報に書き換える記録制御手段と
を有し、
前記画像送信装置は、
前記サーバから受信した第１送信方法登録情報に係る送信方法の中から第１優先順位の送信方法の指定を、前記サーバから受信した第２送信方法登録情報に係る送信方法の中から第２優先順位の送信方法の指定を、それぞれ受信者から受取ることにより、前記送信方法指定情報の指定を受取る指定受取手段と、
指定された送信方法指定情報を前記サーバに送信する指定情報送信手段と、
送信すべき画像データの受信者の識別子の選択を受け付ける受付手段と、
前記サーバから、前記記録媒体に記録されている送信方法指定情報とそれに対応付けられている受信者の識別子とを取得する取得手段と、
選択された受信者の識別子が、取得された送信方法指定情報に対応付けられている受信者の識別子と一致する場合に、前記送信方法指定情報が示す送信方法に従って、画像データを送信させる送信制御手段と、
を有し、
前記送信制御手段は、
前記送信機能情報を記憶している記憶手段と、
選択された受信者の識別子が、前記送信方法指定情報に対応付けられている受信者の識別子と一致する場合に、前記送信機能情報を参照して、前記送信方法指定情報に含まれる前記複数の送信方法の内、自装置において実行可能であって、優先順位が最も高い送信方法を、前記画像データを送信させる送信方法として選択する選択手段と、
を有することを特徴とする画像送信システム。
【請求項３】
前記送信制御手段は、
第１優先順位の送信方法が、自装置で実行可能でない場合に、その旨をユーザに通知する通知手段と、
第２優先順位の送信方法を選択するか否かについての指示を受付ける指示受付手段と
を有し、
前記選択手段は、前記指示が、第２優先順位の送信方法の選択指示である場合に、第２優先順位の送信方法を選択する
ことを特徴とする請求項１又は２に記載の画像送信システム。
【発明の詳細な説明】
【技術分野】
【０００１】
本発明は、スキャナー入力された画像等を、ネットワークで接続されている装置に送信する画像送信装置に関し、特に、その送信方法を最適化する技術に関する。
【背景技術】
【０００２】
近年、入力された画像データを、ネットワークを経由して利用者の所望する送信方法（電子メール、ファックス、ＦＴＰ、インターネットファックス等）で相手先に送信する画像送信装置が普及してきている。
さらに、ネットワーク環境の整備が進むにつれ、上記画像データの送信方法として、多種のネットワークを利用できるようになってきている。
【０００３】
このような状況下において、送信者が、上記画像データを相手先に送信する場合には、複数の利用可能な送信方法の中から適当な送信方法を選択することになる。
この種の画像送信装置において、送信方法の選択を行う技術として、例えば、特許文献１には、
予め画像送信装置に登録された相手先への送信方法のリストから、適当な送信方法を送信者に選択させる技術が開示されている。
【０００４】
これにより、送信者は、画像送信装置を用いて、画像データを相手先に送信する際の、送信方法の選択を簡易迅速に行うことができる。
【特許文献１】特開２００５−１２４１４号公報
【発明の開示】
【発明が解決しようとする課題】
【０００５】
しかしながら、上記従来技術においては、送信者サイドで、相手先への送信方法が選択されるので、受信者側のニーズに合わない送信方法で画像データが送信されてしまうという問題が生じる。
例えば、受信者が別の部署や、事業所に移ったために受信設備が変わり、画像送信装置に登録されている送信方法では、画像データを受取れなくなるという問題や、出張で別の事業所に一時的に滞在しているため、登録されている送信方法で画像データが送信されても、当該画像データを出張先の事業所で受取ることができず不都合が生じるという問題が生じる。
【０００６】
本発明は、上記の問題点に鑑み、画像データを送信する際に、受信者のニーズに合った送信方法で送信させることが可能な画像送信方法及び画像送信装置、並びにそのような画像送信装置を含む画像送信システムを提供することを目的とする。
【課題を解決するための手段】
【０００７】
上記課題を解決するために、本発明は、画像データの送信方法を提供するサーバとそれぞれ、自装置において実行可能な送信方法を示す送信機能情報を記憶している複数の画像送信装置とが、ネットワーク接続されて構成される画像送信システムであって、前記サーバは、複数の前記各画像送信装置から前記送信機能情報を取得する送信機能情報取得手段と、前記各画像送信装置からの取得要求に応じて、複数の前記各画像送信装置の何れかにおいて実行可能な送信方法を、第１送信方法登録情報として、複数の前記各画像送信装置の全てにおいて実行可能な送信方法を、第２送信方法登録情報として、それぞれ、取得した送信機能情報に基づいて抽出し、第１及び第２送信方法登録情報を取得要求元の画像送信装置に送信する送信手段と、記録媒体と、前記取得要求元の画像送信装置に送信された第１送信方法登録情報に係る送信方法の中から当該画像送信装置を介して受信者が優先順位の最も高い第１優先順位の送信方法として指定した当該受信者宛の画像データの送信方法と、当該画像送信装置に送信された第２送信方法登録情報に係る送信方法の中から、当該画像送信装置を介して受信者が第２優先順位の送信方法として指定した当該受信者宛の画像データの送信方法と、を示す送信方法指定情報の登録及び更新を、当該画像送信装置から受付ける受付け手段と、前記登録を受付けると、送信方法指定情報とそれを指定した受信者とを対応付けて前記記録媒体に記録し、前記更新を受付けると、前記記録媒体において、当該受信者に対応付けて記録されている送信方法指定情報を、更新後の送信方法指定情報に書き換える記録制御手段とを有し、前記画像送信装置は、前記サーバから受信した第１送信方法登録情報に係る送信方法の中から第１優先順位の送信方法の指定を、前記サーバから受信した第２送信方法登録情報に係る送信方法の中から第２優先順位の送信方法の指定を、それぞれ受信者から受取ることにより、前記送信方法指定情報の指定を受取る指定受取手段と、指定された前記送信方法指定情報を前記サーバに送信する指定情報送信手段と、送信すべき画像データの受信者の識別子の選択を受け付ける受付手段と、前記サーバから、前記記録媒体に記録されている送信方法指定情報とそれに対応付けられている受信者の識別子とを取得する取得手段と、選択された受信者の識別子が、取得された送信方法指定情報に対応付けられている受信者の識別子と一致する場合に、前記送信方法指定情報が示す送信方法に従って、画像データを送信させる送信制御手段とを有し、前記送信制御手段は、前記送信機能情報を記憶している記憶手段と、選択された受信者の識別子が、前記送信方法指定情報に対応付けられている受信者の識別子と一致する場合に、前記送信機能情報を参照して、前記送信方法指定情報に含まれる前記複数の送信方法の内、自装置において実行可能であって、優先順位が最も高い送信方法を、前記画像データを送信させる送信方法として選択する選択手段と、を有する。
【０００８】
又、本発明は、画像データの送信方法を提供するサーバとそれぞれ、自装置において実行可能な送信方法を示す送信機能情報を記憶している複数の画像送信装置とが、ネットワークで接続されて構成される画像送信システムであって、前記サーバは、複数の前記各画像送信装置から前記送信機能情報を取得する送信機能情報取得手段と、前記各画像送信装置からの取得要求に応じて、複数の前記各画像送信装置の何れかにおいて実行可能な送信方法を、第１送信方法登録情報として、取得した送信機能情報に基づいて、抽出し、第１送信方法登録情報を取得要求元の画像送信装置に送信する第１送信手段と、前記各画像送信装置からの取得要求に応じて、前記取得要求元の画像送信装置に送信された第１送信方法登録情報に係る送信方法の中から、当該取得要求元の画像送信装置を介して受信者が優先順位の最も高い第１優先順位の送信方法として指定した当該受信者宛の画像データの送信方法が実行可能でない、複数の前記各画像送信装置の内の画像送信装置において、共通して実行可能な送信方法を、第２送信方法登録情報として、取得した送信機能情報に基づいて、抽出し、第２送信方法登録情報を前記取得要求元の画像送信装置に送信する第２送信手段と、記録媒体と、当該取得要求元の画像送信装置において受信者が第１優先順位の送信方法として指定した当該受信者宛の画像データの送信方法と、当該取得要求元の画像送信装置に送信された第２送信方法登録情報に係る送信方法の中から当該取得要求元の画像送信装置を介して受信者が第２優先順位の送信方法として指定した当該受信者宛の画像データの送信方法と、を示す送信方法指定情報の登録及び更新を、当該取得要求元の画像送信装置から受付ける受付け手段と、前記登録を受付けると、送信方法指定情報とそれを指定した受信者とを対応付けて前記記録媒体に記録し、前記更新を受付けると、前記記録媒体において、当該受信者に対応付けて記録されている送信方法指定情報を、更新後の送信方法指定情報に書き換える記録制御手段と、を有し、前記画像送信装置は、前記サーバから受信した第１送信方法登録情報に係る送信方法の中から第１優先順位の送信方法の指定を、前記サーバから受信した第２送信方法登録情報に係る送信方法の中から第２優先順位の送信方法の指定を、それぞれ受信者から受取ることにより、前記送信方法指定情報の指定を受取る指定受取手段と、指定された送信方法指定情報を前記サーバに送信する指定情報送信手段と、送信すべき画像データの受信者の識別子の選択を受付ける受付手段と、前記サーバから、前記記録媒体に記録されている前記送信方法指定情報とそれに対応付けられている受信者の識別子とを取得する取得手段と、選択された受信者の識別子が、取得された送信方法指定情報に対応付けられている受信者の識別子と一致する場合に、前記送信方法指定情報が示す送信方法に従って、画像データを送信させる送信制御手段と、を有し、前記送信制御手段は、前記送信機能情報を記憶している記憶手段と、選択された受信者の識別子が、前記送信方法指定情報に対応付けられている受信者の識別子と一致する場合に、前記送信機能情報を参照して、前記送信方法指定情報に含まれる前記複数の送信方法の内、自装置において実行可能であって、優先順位が最も高い送信方法を、前記画像データを送信させる送信方法として選択する選択手段と、を有する。
【発明の効果】
【００１０】
本発明は、上記構成を備えることにより、送信元において利用される画像送信装置において、実行可能な送信方法の範囲内で、受信者の設定した送信方法の中で、優先順位の最も高いものが、当該受信者宛の画像データの送信方法として選択されるので、送信機能が異なる複数の画像送信装置が利用されるという利用環境下で画像データを送信させる場合において、受信者の希望と画像送信装置間の送信機能差とを考慮しつつ、画像送信方法を適切に選択させることができ、受信者の希望を反映した画像送信方法の選択操作を最適化することができる。
【００１７】
前記送信制御手段は、第１優先順位の送信方法が、自装置で実行可能でない場合に、その旨をユーザに通知する通知手段と、第２優先順位の送信方法を選択するか否かについての指示を受取る指示受取手段とを有し、前記選択手段は、前記指示が、第２優先順位の送信方法の選択指示である場合に、第２優先順位の送信方法を選択することとしてもよい。
【００１９】
これにより、利用中の画像送信装置において、第１優先順位の送信方法を適用できない場合には、その旨が通知されるので、画像データの送信者に対し、注意を喚起するとともに、第２優先順位の送信方法を選択して画像データを送信するか、第１優先順位の送信方法を実行可能な他の画像送信装置を利用して、画像データを送信するかについての判断の機会を与えることができる。
【発明を実施するための最良の形態】
【００２０】
以下本発明を実施するための最良の形態について説明する。
＜構成＞
図１は、本実施の形態に係る画像送信システム１０００の構成を示す図である。画像送信システム１０００は、画像送信装置１００、パーソナルコンピュータ（以下、「ＰＣ」という。）１５１、１５２、アドレス帳サーバ２００から構成され、画像送信システム１０００の各構成要素は、ＬＡＮ（Local Area Network）１０１で接続されている。
【００２１】
ＬＡＮ１０１は、インターネット１０２と接続され、画像送信システム１０００は、インターネット１０２を介して、メールサーバ４０１、ＦＴＰサーバ４０２、ＷＷＷサーバ４０３と接続されている。
ＬＡＮ１０１、インターネット１０２で接続される各構成要素は、ＴＣＰ（Transport Contorol Protocol）／ＩＰ(Internet Protocol)プロトコールに従って相互接続され、ＴＣＰ／ＩＰ上では、
ＷｅｂＤＡＶ（Distributed Authoring and Versioning for the WWW）、ＳＭＢ（Server Message Block）、ＳＭＴＰ（Simple Mail Transport Protocol）、ＦＴＰ（File Transfer Protocol）による各種通信が可能である。
【００２２】
又、画像送信装置１００は、電話回線などから構成される通信網１０３と接続されており、通信網１０３を介して外部のファクシミリ３００とファックス通信を行うことができる。
なお、図１では、説明の便宜上、画像送信装置１００は、１つだけ示されているが、画像送信システム１０００に含まれる画像送信装置１００は、複数であってもよい。  
【００２３】
（画像送信装置１００）
（ハードウェア構成）
本実施の形態の画像送信装置１００は、マイクロプロセッサ、ＲＯＭ、ＲＡＭ、ハードディスクユニット、指示を入力するための操作パネル（タッチパネル又は複数の入力キーと液晶ディスプレイ等から構成されるパネル）、スキャナー、レーザ印刷機などの画像印刷機等からなるプリンタ、ファクシミリなどから構成される。前記ＲＡＭ又は前記ハードディスクユニットには、コンピュータプログラムが記憶されている。前記マイクロプロセッサが、前記コンピュータプログラムに従って動作することにより、画像送信装置１００は、以下の機能構成において説明する各機能を達成する。ここで、コンピュータプログラムは、所定の機能を達成するために、コンピュータに対する指令を示す命令コードが複数個組み合わされて構成されたものである。
【００２４】
（機能構成）
図２は、画像送信装置１００の機能構成を示す機能ブロック図である。図２に示すように、画像送信装置１００は、通信制御部１１０、画像記憶部１１１、登録認証情報記憶部１１２、送信機能情報記憶部１１３、モデム１１４、ＦＡＸ通信制御部１１５、網制御部１１６、操作パネル部１１７、印刷処理部１１８、画像読取部１１９、制御部１２０から構成される。
【００２５】
（通信制御部１１０）
ＬＡＮ１０１に接続するためのインターフェースであり、ＬＡＮ１０３に接続されている画像送信システム１０００の各構成要素との間の通信を制御する。上記通信の制御は、ＴＣＰ／ＩＰ等の所定のプロトコールを用いて行われる。
（画像記憶部１１１）
画像読取部１１９や通信制御部１１０より入力された、送信用の画像データを記憶している。
【００２６】
（登録認証情報記憶部１１２）
画像送信装置１００の使用許可者として、予め登録された各利用者の登録認証情報を記憶している。
ここで、「登録認証情報」とは、上記各使用許可者の利用者名とパスワードとから構成される情報のことをいう。
【００２７】
（送信機能情報記憶部１１３）
自装置において実行可能な送信方法を示す送信機能情報を記憶している。ここで、「送信方法」とは、送信プロトコール（例えば、ＷｅｂＤＡＶ、ＳＭＢ、ＳＭＴＰ、ＦＴＰ）や送信機能（例えば、ファックス（ＦＡＸ））に関する情報のことをいう。
（モデム１１４）
相手側の画像送信装置１００に送信する送信信号の変調及び相手側の画像送信装置１００から送信される送信信号の復調を行うために用いられる。
【００２８】
（ＦＡＸ通信制御部１１５）
モデム１１４を介して、通信相手先の画像送信装置１００に送信する送信信号の変調及び通信相手先の画像送信装置１００から送信される送信信号の復調を行う。
又、網制御部１１６を介して、通信網１０３に接続し、通信相手先の画像送信装置１００と通信する。
【００２９】
（網制御部１１６）
通信網１０３と接続するのに用いられる。
（操作パネル部１１７）
複数の入力キーと図１の符号１１７１で示す表示部（例えば、液晶ディスプレイ）を備え、表示部１１７１の表面にはタッチパネルが積層されている。タッチパネルからのタッチ入力又は入力キーからのキー入力により、利用者からの指示を受取り、制御部１２０に通知する。
【００３０】
（印刷処理部１１８）
制御部１２０から入力された画像データに基づいて、印刷用用紙に印刷を行う。
（画像読取部１１９）
スキャナーなどの画像入力装置から構成され、紙文書に記録された文字、図面、表、写真等の画像を、内部に備える光源で照射し、反射像をレンズで固体撮像素子上に結像し、固体撮像素子を介して画像信号に変換し、画像データを生成する。
【００３１】
（制御部１２０）
画像送信装置１００の全体の制御、後述する、個人アドレス帳登録処理、受信者設定登録処理、画像送信処理を行う。
（アドレス帳サーバ２００）
（ハードウェア構成）
アドレス帳サーバ２００は、マイクロプロセッサ、ＲＯＭ、ＲＡＭ、ハードディスクユニット、指示入力するためのキーボード、マウス、液晶ディスプレイやＣＲＴなどから構成されるディスプレイユニットなどから構成される。前記ＲＡＭ又は前記ハードディスクユニットには、コンピュータプログラムが記憶されている。前記マイクロプロセッサが、前記コンピュータプログラムに従って動作することにより、アドレス帳サーバ２００は、以下の機能構成において説明する各機能を達成する。
【００３２】
（機能構成）
図３は、アドレス帳サーバ２００の機能構成を示す機能ブロック図である。
アドレス帳サーバ２００は、通信制御部２０１、装置情報記憶部２０２、アドレス帳記憶部２０３、制御部２０４から構成される。  
（通信制御部２０１）
ＬＡＮ１０１と接続するためのインターフェースであり、画像送信システム１０００の各構成要素との間の通信を制御する。上記通信の制御は、ＴＣＰ／ＩＰ等の所定のプロトコールを用いて行われる。
【００３３】
（装置情報記憶部２０２）
装置情報を記憶している。ここで、「装置情報」とは、画像送信システム１０００に含まれる各画像送信装置１００とその送信機能情報との対応関係を示す情報のことをいう。図９は、装置情報記憶部２０２に記憶されている装置情報の具体例を示す。図９の「○」は、当該画像送信装置１００において、実行可能な送信方法を示し、図９の「×」は、当該画像送信装置１００において、実行不可能な送信方法を示す。
【００３４】
（アドレス帳記憶部２０３）
個人アドレス帳記憶部２０３１とおまかせアドレス帳記憶部２０３２とから構成される。
（個人アドレス帳記憶部２０３１）
画像送信システム１０００の各利用者の設定した個人アドレス帳を記憶している。
【００３５】
ここで、「個人アドレス帳」とは、設定者情報と、送信相手先設定情報と、受信者設定情報とを含む情報のことをいう。
「設定者情報」とは、個人アドレス帳の設定者を識別する情報（例えば、設定者名）のことをいう。
「受信者設定情報」とは、個人アドレス帳の設定者が、自己宛の画像データの送信方法と送信先とを指定する情報のことをいい、当該受信者設定情報においては、第１優先順位の送信方法及び送信先と、第２優先順位の送信方法及び送信先が指定される。
【００３６】
ここで、「第１優先順位」は、優先順位が最も高い１番目であることを示し、「第２優先順位」とは、優先順位が２番目であることを示す。
「受信者設定情報」は、個人アドレス帳の設定者が設定している場合にのみ、個人アドレス帳に含まれ、設定していない場合には、個人アドレス帳には含まれない。
「送信相手先設定情報」とは、画像データの受信者名と、当該受信者への送信方法及び送信先を指定する情報のことをいう。
【００３７】
「送信相手先設定情報」における、送信方法及び送信先の指定の仕方には、２種類があり、１つは、送信プロトコール若しくは送信機能、及び送信先のネットワークアドレス若しくは電話番号を、利用者が、個々に入力して送信方法と送信先を指定するやり方と、他の利用者の個人アドレス帳に含まれる受信者設定情報の示す送信方法及び送信先を指定する情報（以下、「おまかせ設定情報」という。）を指定するやり方の２種類があり、利用者は後述する個人アドレス帳登録処理において、何れかのやり方で送信相手先設定情報を登録する。
【００３８】
図６(ａ)の符号６０１及び図６（ｂ）の符合６０２は、個人アドレス帳の具体例を示す。符号６０１は、個人アドレス帳の設定者（設定情報）が「Ａさん」の個人アドレス帳を示し、符号６０２は、個人アドレス帳の設定者（設定情報）が「Ｂさん」の個人アドレス帳を示す。
「Ａさん」の個人アドレス帳６０１においては、受信者の「Ｂさん」に対し、「おまかせ設定情報」によって、「Ｂさん」の個人アドレス帳６０２の受信者設定情報の示す（符号６０３で示す。）送信方法及び送信先を指定している。符合６０３で示す受信者設定情報における「１ｓｔ」は、第１優先順位を示し、「２ｎｄ」は、第２優先順位を示す。
【００３９】
これにより、後述する画像送信処理において、「Ａさん」の個人アドレス帳を用いて、「Ｂさん」に画像データを送信する場合には、「Ｂさん」が自己の個人アドレス帳６０２において、設定した受信者設定情報により、指定される送信方法及び送信先に従って、当該画像データが送信されることになる。
（おまかせアドレス帳記憶部２０３２）
おまかせアドレス帳を記憶している。ここで、「おまかせアドレス帳」とは、受信者設定情報を設定している個人アドレス帳の設定者のリスト（以下、「受信方法設定者リスト」という。）のことをいう。
【００４０】
図８は、受信方法設定者リストの具体例を示す。
（制御部２０４）
装置情報管理部２０４１とアドレス帳管理部２０４２から構成される。
（装置情報管理部２０４１）
ＬＡＮ１０１に接続されている各画像送信装置１００と、通信制御部２０１を介して通信し、送信機能情報記憶部１１３に記憶されている送信機能情報を取得し、各画像送信装置１００から取得した送信機能情報に基づいて、装置情報を作成し、装置情報記憶部２０２に記録する処理を行う。    
【００４１】
上記処理は、定期的に行われ、一定期間毎に装置情報が更新される。
又、各画像送信装置１００からのプライマリリストの取得要求、セコンダリリストの取得要求に応じて、プライマリリスト、セコンダリリストを作成し、通信制御部２０１を介して取得要求元の画像送信装置１００に送信する。
ここで、「プライマリリスト」とは、画像送信システム１０００に含まれる何れかの画像送信装置１００において、実行可能な送信方法のリストのことをいい、「セコンダリリスト」とは、画像送信システム１０００に含まれる全ての画像送信装置１００において実行可能な送信方法のリスト、又は、全ての画像送信装置１００において、実行可能送信方法がない場合には、画像送信システム１０００に含まれる画像送信装置１００の内、最大数の画像送信装置１００において実行可能な送信方法のことをいう。
【００４２】
装置情報管理部２０４１は、装置情報記憶部２０２に記憶されている装置情報を参照して、プライマリリスト、セコンダリリストを作成する。
（アドレス帳管理部２０４２）
後述する個人アドレス帳登録処理によって、画像送信装置１００から、利用者名の通知と、当該利用者名の個人アドレス帳の取得要求を、通信制御部２０１を介して受取ると、個人アドレス帳記憶部２０３１から、通知された利用者名と設定者情報の示す設定者名とが一致する個人アドレス帳を取得し、通信制御部２０１を介して、要求元の画像送信装置１００に送信する。
【００４３】
又、後述する個人アドレス帳登録処理において、各画像送信装置１００が個人アドレス帳を作成又は更新する毎に、当該個人アドレス帳を、画像送信装置１００から通信制御部２０１を介して取得し、個人アドレス帳記憶部２０３１に記録する処理を行う。この際、アドレス帳管理部２０４２は、画像送信装置１００から、個人アドレス帳を取得する毎に、当該個人アドレス帳の設定者情報と同一の設定者情報を含む個人アドレス帳が、個人アドレス帳記憶部２０３１に記憶されているか否かを判定し、記憶されている場合には、当該個人アドレス帳、すなわち、更新前の個人アドレス帳を、更新後の個人アドレス帳に書き換えて更新し、記憶されていない場合、すなわち、取得した個人アドレス帳が新たに作成されたものである場合には、当該個人アドレス帳を個人アドレス帳記憶部２０３１に新たに記録する。
【００４４】
又、所定時間間隔毎に、個人アドレス帳記憶部２０３１に記憶されている個人アドレス帳を検索し、受信者設定情報を含む個人アドレス帳の設定者情報を抽出して、おまかせアドレス帳を作成し、おまかせアドレス帳記憶部２０３２に記録する処理を行う。
これにより、直前に作成されたおまかせアドレス帳は、所定時間毎に書き換えられて、最新のおまかせアドレス帳に更新される。
＜動作＞
（個人アドレス帳登録処理）
図１２は、制御部１２０の行う個人アドレス帳登録処理の動作を示すフローチャートである。以下、図１２を参照して、上記動作について説明する。
【００４５】
操作パネル部１１７を介して、利用者から個人アドレス帳登録処理の実行指示が入力されると、制御部１２０は、当該処理に係わるコンピュータプログラムを起動し（ステップＳ１２０１）、利用者認証情報の指定を受取るためのＧＵＩ（Graphic User Interface）表示画面を操作パネル部１１７の液晶表示部１１７１に表示させ、認証情報の入力を要求する（ステップＳ１２０２）。
【００４６】
操作パネル部１１７を介して、利用者から、認証情報として、利用者名とパスワードが入力されると、制御部１２０は、入力された利用者名に対応する登録認証情報を、登録認証情報記憶部１１２より取得し、入力された認証情報と照合することにより、認証処理を実行し（ステップＳ１２０３）、認証できたか否かを判定する（ステップＳ１２０４）。
入力された認証情報と登録認証情報とが照合され、認証できた場合に（ステップＳ１２０４：Ｙ）、制御部１２０は、個人アドレス帳の新規登録を行うか、更新を行うかを選択させるためのＧＵＩ表示の選択画面を、操作パネル部１１７の液晶表示部１１７１に表示させ、登録方法の選択入力を要求し、「新規登録」が選択された場合には（ステップＳ１２１８：Ｙ）、設定者情報が認証された利用名を示す、個人アドレス帳を新たに作成し（ステップＳ１２１９）、「更新」が選択された場合には（ステップＳ１２１８：Ｎ）、通信制御部１１０を介して、アドレス帳サーバ２００と通信し、アドレス帳サーバ２００に入力された利用者名を通知し、アドレス帳サーバ２００に通知した利用者名の個人アドレス帳の取得を要求し、アドレス帳サーバ２００から、設定情報が、通知した利用者名と一致する個人アドレス帳と、おまかせアドレス帳を取得する（ステップＳ１２０５）。
【００４７】
次に、制御部１２０は、図７に示すようなＧＵＩ表示の設定方法選択画面を、操作パネル部１１７の液晶表示部１１７１に表示させ（ステップＳ１２０６）、設定方法の選択入力を要求する。
「受信者設定」が選択された場合には（ステップＳ１２０７：Ｙ）、制御部１２０は、後述する受信者設定登録処理を行い（ステップＳ１２０８）、「おまかせ設定」が選択された場合には（ステップＳ１２０７：Ｎ、ステップＳ１２０９：Ｙ）、取得したおまかせアドレス帳に基づいて、図８に示すような受信方法設定者リストを作成し、操作パネル部１１７の液晶表示部１１７１にＧＵＩ表示させ（ステップＳ１２１０）、「おまかせ設定」の対象となる、受信方法設定者の選択を要求する。
【００４８】
操作パネル部１１７を介して、利用者から受信方法設定者の選択指示が入力されると（ステップＳ１２１１）、制御部１２０は、取得又は作成した個人アドレス帳において、選択指示された受信方法設定者について、おまかせ設定情報を登録する（ステップＳ１２１２）。
当該おまかせ設定情報により、選択指示された受信方法設定者の個人アドレス帳に含まれる受信者設定情報の指定する送信方法及び送信先が、当該受信方法設定者に対する画像データの送信方法及び送信先として指定される。
【００４９】
ステップＳ１２０９において、おまかせ設定が選択されなかった場合には（ステップＳ１２０９：Ｎ）、制御部１２０は、利用者の入力により、送信相手先設定情報を個人アドレス帳に登録するための登録情報入力画面を操作パネル部１１７の液晶表示部１１７１にＧＵＩ表示させ（ステップＳ１２１３）、入力画面を介して受信者名、当該受信者への送信方法、送信先の入力を受取ると（ステップＳ１２１４）、入力された情報に基づいて、送信相手先設定情報を作成し、個人アドレス帳に登録する（ステップＳ１２１５）。
【００５０】
制御部１２０は、ステップＳ１２０８、又は、ステップＳ１２１２、又は、ステップＳ１２１５の処理の後、操作パネル部１１７を介して利用者から、個人アドレス帳登録処理の終了指示が入力されると（ステップＳ１２１６：Ｙ）、処理を終了し、送信相手先設定情報又は受信者設定情報を登録した個人アドレス帳を、通信制御部１１０を介してアドレス帳サーバ２００に送信し（ステップＳ１２１７）、ステップＳ１２１６において、利用者から、操作パネル部１１７を介して個人アドレス帳登録処理の継続指示を受取ると、ステップＳ１２０６の処理に移行する。
（受信者設定登録処理）
図１３は、制御部１２０の行う受信者設定登録処理の動作を示すフローチャートである。以下、図１３を参照して、上記動作について説明する。
【００５１】
図１２の個人アドレス帳登録処理の動作において、「受信者設定」が選択された場合に（ステップＳ１２０７：Ｙ）、制御部１２０は、通信制御部１１０を介して、アドレス帳サーバ２００と通信し、アドレス帳サーバ２００にプライマリリストの取得を要求し（ステップＳ１３０１）、後述する図１４のステップ１４０３の処理により、アドレス帳サーバ２００から、プライマリリストを取得し（ステップＳ１３０２）、取得したプライマリリストに基づいて、図１０に示すようなＧＵＩ表示のプライマリ選択画面を操作パネル部１１７の液晶表示部１１７１に表示させ（ステップＳ１３０３）、第１優先順位の送信方法の選択及びその送信先の入力を要求する。
【００５２】
「プライマリ選択画面」とは、プリマリリストの示す送信方法の選択画面（図１０の符号１０１で示す部分）と選択した送信方法での送信先の入力画面（図１０の符号１０２で示す部分）とからなる画面のことをいう。
プライマリ選択画面において、利用者により、第１優先順位の送信方法が選択され、選択された送信方法による送信先が、操作パネル部１１７を介して入力されると、制御部１２０は、選択された第１優先順位の送信方法と入力された送信先を個人アドレス帳に登録した（ステップＳ１３０４）後、通信制御部１１０を介して、アドレス帳サーバ２００と通信し、アドレス帳サーバにセコンダリリストの取得を要求し（ステップＳ１３０５）、後述する図１４のステップＳ１４０６の処理により、アドレス帳サーバ２００から、セコンダリリストを取得し（ステップＳ１３０６）、取得したセコンダリリストに基づいて、図１１に示すようなＧＵＩ表示のセコンダリ選択画面を操作パネル部１１７の液晶表示部１１７１に表示させ（ステップＳ１３０７）、第２優先順位の送信方法の選択及びその送信先の入力を要求する。
【００５３】
「セコンダリ選択画面」とは、セコンダリリストの示す送信方法の選択画面（図１１の符号１１１で示す部分）と選択した送信方法での送信先の入力画面（図１１の符号１１２で示す部分）とからなる画面のことをいう。
セコンダリ選択画面において、利用者により、第２優先順位の送信方法が選択され、選択された送信方法による送信先が操作パネル部１１７を介して入力されると、制御部１２０は、選択された第２優先順位の送信方法と入力された送信先を個人アドレス帳に登録する（ステップＳ１３０８）。
（画像送信処理）
図１５は、制御部１２０の行う画像送信処理Ａの動作を示すフローチャートである。以下、図１５を参照して上記動作について説明する。
【００５４】
操作パネル部１１７を介して、利用者から画像送信処理Ａの実行指示が入力されると、制御部１２０は、当該処理に係わるコンピュータプログラムを起動し（ステップＳ１５０１）、利用者認証情報の指定を受取るためのＧＵＩ表示画面を操作パネル部１１７の液晶表示部１１７１に表示させ、認証情報の入力を要求する（ステップＳ１５０２）。
操作パネル部１１７を介して、利用者から、認証情報として、利用者名とパスワードが入力されると、制御部１２０は、入力された利用者名に対応する登録認証情報を、登録認証情報記憶部１１２より取得し、入力された認証情報と照合することにより、認証処理を実行し（ステップＳ１５０３）、認証できたか否かを判定する（ステップＳ１５０４）。
【００５５】
入力された認証情報と登録認証情報とが照合され、認証できた場合に（ステップＳ１５０４：Ｙ）、制御部１２０は、通信制御部１１０を介して、アドレス帳サーバ２００と通信し、アドレス帳サーバ２００に、入力された利用者名を通知して、通知した利用者名の個人アドレス帳の取得を要求し、アドレス帳サーバ２００から該当する個人アドレス帳を取得し（ステップＳ１５０５）、操作パネル部１１７の液晶表示部１１７１に、送信する画像データの指定入力画面をＧＵＩ表示させ（ステップＳ１５０６）、指定入力画面において、送信画像データが利用者により指定されると、指定された画像データを画像記憶部１１１から読出し（ステップＳ１５０７）、取得した個人アドレス帳に基づいて、図４に示すような受信者選択画面を作成し、操作パネル部１１７の液晶表示部１１７１にＧＵＩ表示させ（ステップＳ１５０８）、受信者名の選択を要求する。
【００５６】
受信者選択画面には、図４に示すように、個人アドレス帳に登録されている受信者名のリストが表示される。
利用者により、受信者選択画面において、受信者が選択され、操作パネル部１１７を介して入力されると、制御部１２０は、取得した個人アドレス帳を参照して、当該受信者について、おまかせ設定情報が登録されているかを判定する（ステップＳ１５０９）．
おまかせ設定情報が登録されている場合（ステップＳ１５０９：Ｙ）、制御部１２０は、通信制御部１１０を介して、アドレス帳サーバ２００と通信し、アドレス帳サーバ２００に、選択された受信者名を通知し、アドレス帳サーバ２００から、当該受信者名に対応付けられている個人アドレス帳において、登録されている受信者設定情報の取得を要求し、アドレス帳サーバ２００から当該受信者設定情報を取得し（ステップＳ１５１０）、受信者設定情報の示す第１優先順位の送信方法が、自装置において実行可能か否かを、第１優先順位の送信方法が、送信機能情報記憶部１１３に記憶されている送信機能情報に含まれているか否かにより判定する（ステップＳ１５１１）。
【００５７】
第１優先順位の送信方法が、送信機能情報に含まれており、自装置において実行可能である場合には（ステップＳ１５１１：Ｙ）、制御部１２０は、読み出した画像データを第１優先順位の送信方法で、受信者設定情報において、当該送信方法について指定されている送信先に送信する（ステップＳ１５１５）。
第１優先順位の送信方法が、送信機能情報に含まれておらず、自装置において実行可能でない場合には（ステップＳ１５１１：Ｎ）、図１７に示すように、実行可能でない旨を示し、第２優先順位へ切替えるか否かを問い合わせる警告メッセージ画面をＧＵＩ表示させ（ステップＳ１５１２）、
当該画面において、利用者により、第２優先順位の送信方法での送信指示が選択され、操作パネル部１１７を介して当該選択指示が入力された場合には（ステップＳ１５１３：Ｙ）、制御部１２０は、読み出した画像データを第２優先順位の送信方法で、受信設定情報において当該送信方法について指定されている送信先に送信する（ステップＳ１５１６）。
【００５８】
ステップＳ１５０９において、おまかせ設定情報が登録されていない場合には（ステップＳ１５０９：Ｎ）、取得した個人アドレス帳において、選択された受信者名について登録されている送信方法で、当該送信方法について登録された送信先に送信する（ステップＳ１５１４）。
ステップＳ１５１４〜ステップＳ１５１６における各送信は、送信方法が、「ＦＡＸ」である場合は、ＦＡＸ通信制御部１１５を介して行われ、その他の送信方法の場合には、通信制御部１１０を介して行われる。
【００５９】
図５は、画像送信システム１０００に含まれる各画像送信装置１００において、上記画像送信処理Ａが行われ、画像データの送信方法が決定される様子をイメージ的に表した図である。
以下、図５を用いて、上記画像送信処理Ａの具体例を示して説明する。
図５においては、画像送信システム１０００は、画像送信装置１００Ａ、１００Ｂ、１００Ｃと、アドレス帳サーバ２００とから構成されている。
【００６０】
図５の符号５０２は、画像送信装置１００Ａの送信機能情報の内容を示し、符号５０３は、画像送信装置１００Ｂの送信機能情報の内容を示し、符号５０４は、画像送信装置１００Ｃの送信機能情報の内容を示し、符号５０５は、送信用画像データを示し、符号５０１Ａ、５０１Ｂは、サーバ２００に登録されている個人アドレス帳を示し、個人アドレス帳５０１Ａにおいては、受信者として、個人アドレス帳５０１Ｂの登録者が指定され、当該登録者について、おまかせ設定情報が登録されているものとする。
【００６１】
又、個人アドレス帳５０１Ｂには、受信者設定情報が登録されており、当該受信者設定情報において、第１優先順位（図５の個人アドレス帳５０１Ｂの「１ｓｔ」に相当）の送信方法として、ＦＴＰが指定され、第２優先順位（図５の個人アドレス帳５０１Ｂの「２ｎｄ」に相当）の送信方法としてＦＡＸが指定されている。
利用者が、画像送信装置１００Ａを使用して、自己の個人アドレス帳５０１Ａを、個人アドレス帳サーバ２００から取得し、受信者として、個人アドレス帳５０１Ｂの登録者を選択した場合には、当該登録者について、おまかせ設定情報が登録されているので、画像送信装置１００Ａは、アドレス帳サーバ２００から、当該登録者の個人アドレス帳５０１Ｂに登録されている受信者設定情報を取得し、当該受信者設定情報において、第１優先順位に指定されている「ＦＴＰ」が、送信機能情報５０２に含まれているので、ＦＴＰで送信用画像データ５０５を送信する。
【００６２】
又、利用者が画像送信装置１００Ｂを使用して、画像送信処理Ａを実行した場合においても、当該画像送信装置１００Ｂの送信機能情報５０３には、ＦＴＰが含まれているので、画像送信装置１００Ｂは、画像送信装置１００Ａを使用した場合と同様に、ＦＴＰで送信用画像データ５０５を送信する。
一方、利用者が、画像送信装置１００Ｃを使用して、画像送信処理Ａを実行した場合には、当該画像送信装置１００Ｃの送信機能情報５０４には、ＦＴＰが含まれていないので、利用者により、第２優先順位のＦＡＸでの送信指示がされた場合に、画像送信装置１００Ｃは、自装置で実行可能な第２優先順位のＦＡＸで送信用画像データ５０５を送信する。
【００６３】
これにより、画像送信装置が、受信者が設定した送信方法での送信機能を有する場合には、受信者が予め設定した所望の送信方法で優先的に送信用画像データが送信され、画像送信装置が、受信者が設定した送信方法での送信機能を有さない場合には、当該画像送信装置の有する送信機能において、実行可能な送信方法で、かつ、受信者が二次的に選択した送信方法で送信用画像データが送信されるので、送信機能が異なる複数の画像送信装置が利用されるという利用環境下で画像データを送信させる場合において、受信者の希望と画像送信装置間の送信機能差とを考慮しつつ、画像送信方法を適切に選択させることができ、受信者の希望を反映した画像送信方法の選択操作を最適化することができる。  
（送信方法リスト作成処理Ａ）
図１４は、アドレス帳サーバ２００が行う送信方法リスト作成処理Ａの動作を示すフローチャートである。以下、図１４を参照して上記動作について説明する。
【００６４】
アドレス帳サーバ２００は、図１３のステップ１３０１において、画像送信装置１００より、プライマリリストの取得要求を受取ると（ステップＳ１４０１）、装置情報記憶部２０２に記憶されている装置情報を参照して、画像送信システム１０００に含まれる各画像送信装置１００の何れかにおいて実行可能な送信方法を抽出してプライマリリストを作成し（ステップＳ１４０２）、作成したプライマリリストを、取得要求した画像送信装置１００に送信し（ステップＳ１４０３）、図１３のステップ１３０５において、当該画像送信装置１００よりさらに、セコンダリリストの取得要求を受取ると（ステップＳ１４０４）、装置情報記憶部２０２に記憶されている装置情報を参照して、画像送信システム１０００に含まれる全ての画像送信装置１００において、実行可能な送信方法を抽出し、セコンダリリストを作成し（ステップＳ１４０５）、作成したセコンダリリストを、取得要求した画像送信装置１００に送信する（ステップＳ１４０６）。  
＜補足＞
以上、本発明に係る画像送信システム１０００について、実施の形態に基づいて説明したが、本発明はこの実施の形態に限られないことは勿論である。
（１）本実施の形態においては、個人アドレス帳登録処理において、受信者について画像データの送信方法及び送信先を個人アドレス帳に登録する際に、登録者が、受信者についておまかせ設定情報を登録している（図１２のステップＳ１２１２参照）場合に限り、画像送信処理において、受信者設定情報に従って、当該受信者の指定する送信方法で画像データを送信することとしたが、登録者によるおまかせ設定情報の登録の有無に係らず、受信者が受信者設定情報をその個人アドレス帳に登録している場合には、そちらを優先して、受信者設定情報に従って、当該受信者の指定する送信方法で画像データを送信することとしてもよい。
【００６５】
具体的には、図１６に示すフローチャートに従って、画像送信処理Ｂを行うこととしてもよい。図１６は、制御部１２０の行う画像送信処理Ｂの動作を示す図である。図１６において、図１５に示す画像処理Ａと共通する処理については、図１５と同一のステップ番号を付し、画像処理Ａと相違する処理については、異なるステップ番号を付している。以下、相違点を中心に上記動作について説明する。
【００６６】
制御部１２０は、ステップＳ１５０１〜ステップＳ１５０４の処理を行った後、認証ができた場合に（ステップＳ１５０４：Ｙ）、通信制御部１１０を介して、アドレス帳サーバ２００と通信し、アドレス帳サーバ２００に、入力された利用者名を通知し、アドレス帳サーバ２００に、通知した利用者名の個人アドレス帳とおまかせアドレス帳の取得を要求し、アドレス帳サーバ２００から該当する個人アドレス帳とおまかせアドレス帳とを取得し（ステップＳ１６０５）、ステップＳ１５０６〜ステップＳ１５０８の処理を行った後、選択された受信者が、おまかせアドレス帳に登録されているか否かを判定し（ステップＳ１６０９）、登録されている場合に（ステップＳ１６０９：Ｙ）、ステップＳ１５１０の処理に移行し、登録されていない場合に（ステップＳ１６０９：Ｎ）、ステップＳ１５１４の処理に移行し、それ以降、図１５に示す処理動作（ステップＳ１５１０〜ステップＳ１５１３、ステップＳ１５１５、ステップＳ１５１６）と同様の処理を行う。
【００６７】
これにより、受信者が、個人アドレス帳において、受信者設定情報を登録している場合には、受信者の意向が優先的に反映されるので、受信者は、必要に応じて、受信者設定情報を更新することにより、いちいち相手先に通知するという労を払うことなく、容易に自己宛の画像データの送信方法及び送信先を、自分の希望に沿うように切り替えさせることができる。
（２）本実施の形態では、送信方法リスト作成処理において、セコンダリリストに含める送信方法を、画像送信システム１０００に含まれる全ての画像送信装置１００において、実行可能な送信方法としたが、全ての画像送信装置１００の内、受信者設定登録処理において、選択された第１優先順位の送信方法を実行できない画像送信装置１００において、共通して実行可能な送信方法をセコンダリリストに含めることとしてもよい。
【００６８】
具体的には、図１８に示すフローチャートに従って、送信方法リスト作成処理Ｂを行うこととしてもよい。図１８は、アドレス帳サーバ２００の行う送信方法リスト作成処理Ｂの動作を示す図である。図１８において、図１４に示す送信方法リスト作成処理Ａと共通する処理については、図１４と同一のステップ番号を付し、送信処理方法リスト作成処理Ａと相違する処理については、異なるステップ番号を付している。以下、相違点を中心に上記動作について説明する。
【００６９】
アドレス帳サーバ２００は、ステップＳ１４０１〜ステップＳ１４０３の処理を行い、プライマリリストを、要求元の画像送信装置１００に送信した後、当該画像送信装置１００より、受信者設定処理において選択された第１優先順位の送信方法の通知と、セコンダリリストの取得要求を受取ると（ステップＳ１８０１）、装置情報記憶部２０２に記憶されている装置情報を参照して、通知された第１優先順位の送信方法が実行可能でない画像送信装置１００を特定し（ステップＳ１８０２）、さらに、特定した画像送信装置１００において、共通して実行可能な（特定した画像送信装置１００が１つである場合には、当該画像送信装置１００において実行可能な）送信方法を装置情報から抽出し、セコンダリリストを作成し（ステップＳ１８０３）、ステップＳ１４０６の処理に移行する。
【００７０】
これにより、全ての画像送信装置１００で実行可能でない送信方法であっても、セコンダリリストに含めることが可能となり、利用者に対し、第２優先順位の送信方法の選択肢の幅を広げることができ、利用者は、より多くの選択肢の中から、所望の送信方法を選択することができる。
（３）本実施の形態では、送信方法リスト作成処理において、セコンダリリストに含める送信方法を、画像送信システム１０００に含まれる全ての画像送信装置１００において、実行可能な送信方法としたが、全ての画像送信装置１００において、共通に実行可能な送信方法がない場合には、最も多くの画像送信装置１００において実行可能な送信方法を、装置情報を参照して抽出し、セコンダリリストを作成することとしてもよいし、予め閾値を定めておいて、閾値を超える数の画像送信装置１００において実行可能な送信方法を装置情報から抽出し、セコンダリリストを作成することとしてもよい。
（４）本実施の形態では、受信設定情報における、自己宛の画像データの送信方法と送信先の指定を、第１及び第２優先順位の２種類としたが、当該指定は、２種類に限定されず、２種類以上、例えば、第１〜第３優先順位の３種類の指定としてもよいし、第１〜第４優先順位の４種類としてもよい。
【００７１】
具体的には、優先順位が最下位（上記の例では、第３又は第４優先順位）の送信方法を、本実施の形態におけるセコンダリリストから、利用者によって選択された送信方法とし、第１〜第３優先順位の送信方法を利用者にとっての重要度に応じて、選択することとしてもよい。画像送信処理は、優先順位に従って、各順位の送信方法について、本実施の形態における処理と同様の処理を行い、画像送信装置において実行可能な送信方法であって、優先順位が最も高いものを、送信方法として選択することとしてもよい。
（５）本実施の形態では、画像送信処理において、受信者設定情報の示す第１優先順位の送信方法が、自装置において実行可能であるか否かの判定を、画像送信装置１００側が行うこととしたが、アドレス帳サーバ２００側が行うこととしてもよい。
【００７２】
具体的には、図２０のフローチャートに示すように、画像送信処理を行うこととしてもよい。図２０は、画像送信装置１００及びアドレス帳サーバ２００が行う画像送信処理の動作を示すフローチャートである。
図２０において、図１５に示す画像送信処理Ａと同一の処理については、同一のステップ番号（記号のみ表示）を付し、説明を省略し、以下、相違点を中心に説明する。
【００７３】
画像送信装置１００の制御部１２０は、ステップＳ１５０９における判定結果が肯定的である場合（ステップＳ１５０９：Ｙ）、制御部１２０は、通信制御部１１０を介して、アドレス帳サーバ２００と通信し、選択された受信者名と自装置の識別子をアドレス帳サーバ２００に通知する（ステップＳ２００１）。
アドレス帳サーバ２００は、通知された受信者名と、設定者情報の示す設定者名とが一致する個人アドレス帳を、アドレス帳記憶部２０３から取得し（ステップＳ２０１１）、当該個人アドレス帳に登録されている受信者設定情報の示す第１優先順位の送信方法が、通知元の画像送信装置１００において実行可能であるか否かを、通知された識別子と装置情報記憶部２０２に記憶されている装置情報とに基づいて判定し（ステップＳ２０１２）、実行可能である場合には（ステップＳ２０１２：Ｙ）、通知元の画像送信装置１００に受信者設定情報の示す第１優先順位の送信方法及び送信先を通知し（ステップＳ２０１３）、実行可能でない場合には（ステップＳ２０１２：Ｎ）、通知元の画像送信装置１００に受信者設定情報の示す第２優先順位の送信方法及び送信先を通知する（ステップＳ２０１４）。
【００７４】
次に、通知元の画像送信装置１００の制御部１２０は、アドレス帳サーバ２００から通知された送信方法及び送信先を取得し（ステップＳ２００２）、当該送信方法に従って、指定された画像データを、通知された送信先に送信する（ステップＳ２００３）。
（６）本実施の形態では、送信方法リスト作成処理Ａにおいて、プライマリリストの作成を、画像送信システム１０００に含まれる各画像送信装置１００の何れかにおいて実行可能な送信方法を抽出して行うこととしたが（図１４のステップＳ１４０２参照）、上記処理の代わりに、予め定めた所定数以上の画像送信装置において実行可能な送信方法を抽出することにより、プライマリリストの作成を行う（後述する図１９のステップＳ１９０２）こととしてもよい。
【００７５】
図１９は、上記送信方法リスト作成処理Ａの変形例（送信方法リスト作成処理Ｃ）の動作を示すフローチャートである。図１９に示すように、ステップＳ１９０２の処理以外は、図１４に示す送信方法リスト作成処理Ａの動作と同じである。
【産業上の利用可能性】
【００７６】
本発明は、スキャナー入力された画像等を、ネットワークで接続されている装置に送信する画像送信装置に関し、特に、その送信方法を最適化する技術として利用できる。
【図面の簡単な説明】
【００７７】
【図１】本実施の形態に係る画像送信システム１０００の構成を示す図である。
【図２】画像送信装置１００の機能構成を示す機能ブロック図である。
【図３】アドレス帳サーバ２００の機能構成を示す機能ブロック図である。
【図４】受信者選択画面の具体例を示す。
【図５】画像送信システム１０００に含まれる各画像送信装置１００において、図１５の画像送信処理が行われ、画像データの送信方法が決定される様子をイメージ的に表した図である。
【図６】個人アドレス帳の具体例を示す。
【図７】設定方法選択画面の具体例を示す。
【図８】受信方法設定者リストの具体例を示す。
【図９】装置情報記憶部２０２に記憶されている装置情報の具体例を示す。
【図１０】プライマリ選択画面の具体例を示す。
【図１１】セコンダリ選択画面の具体例を示す。
【図１２】制御部１２０の行う個人アドレス帳登録処理の動作を示すフローチャートである。
【図１３】制御部１２０の行う受信者設定登録処理の動作を示すフローチャートである。
【図１４】アドレス帳サーバ２００が行う送信方法リスト作成処理Ａの動作を示すフローチャートである。
【図１５】制御部１２０の行う画像送信処理Ａの動作を示すフローチャートである。
【図１６】制御部１２０の行う画像送信処理Ｂの動作を示す図である。
【図１７】警告メッセージ画面の具体例を示す。
【図１８】アドレス帳サーバ２００の行う送信方法リスト作成処理Ｂの動作を示す図である。
【図１９】アドレス帳サーバ２００の行う送信方法リスト作成処理Ｃの動作を示す図である。
【図２０】画像送信装置１００及びアドレス帳サーバ２００が行う画像送信処理の動作を示すフローチャートである。
【符号の説明】
【００７８】
１００          画像送信装置
１０１          ＬＡＮ
１０２          インターネット
１０３          通信網
１１０、２０１  通信制御部
１１１          画像記憶部
１１２          登録認証情報記憶部
１１３          通信機能情報記憶部
１１４          モデム
１１５          ＦＡＸ通信制御部
１１６          網制御部
１１７          操作パネル部
１１８          印刷処理部
１１９          画像読取部
１２０、２０４  制御部
１５１、１５２  ＰＣ
２００          アドレス帳サーバ
２０２          装置情報記憶部
２０３          アドレス帳記憶部
３００          ファクシミリ
４０１          メールサーバ
４０２          ＦＴＰサーバ
４０３          ＷＷＷサーバ
１１７１        液晶表示部
２０３１        個人アドレス帳記憶部
２０３２        おまかせアドレス帳記憶部
２０４１        装置情報管理部
２０４２        アドレス帳管理部
【図１】
0004586840.tif 000002
【図２】
0004586840.tif 000003
【図３】
0004586840.tif 000004
【図４】
0004586840.tif 000005
【図５】
0004586840.tif 000006
【図６】
0004586840.tif 000007
【図７】
0004586840.tif 000008
【図８】
0004586840.tif 000009
【図９】
0004586840.tif 000010
【図１０】
0004586840.tif 000011
【図１１】
0004586840.tif 000012
【図１２】
0004586840.tif 000013
【図１３】
0004586840.tif 000014
【図１４】
0004586840.tif 000015
【図１５】
0004586840.tif 000016
【図１６】
0004586840.tif 000017
【図１７】
0004586840.tif 000018
【図１８】
0004586840.tif 000019
【図１９】
0004586840.tif 000020
【図２０】
0004586840.tif 000021